(57)【要約】【課題】ユーザがいる位置に応じて、その位置を含む地域の情報のうち、ユーザにとって関心がある情報を配信できるシステムを提供すること。【解決手段】地域情報を配信するホスト局１０と、各ユーザが所持する携帯電話２０及び当該地域の各戸に備え付けられた固定式受信機３０とから構成される。制御装置１５は、地域情報データベース１１に蓄積された地域情報の見出しを地域内の携帯電話２０や固定式受信機３０に配信し、携帯電話２０や固定式受信機３０から詳細情報の要求があると、要求があった見出しに対応する詳細情報を配信し、詳細情報の要求をアクセスとしてアクセス記録データベース１２に記録し、記録の内容を集計してアクセス履歴データベース１３に登録する。制御装置１５は、携帯電話２０がホスト局１０のカバーする所定の地域に入って来た場合に、アクセス頻度データベース１３を参照してアクセス頻度の高い地域情報の見出しを配信する。【選択図】図１
2009170974.tif 000002
【特許請求の範囲】
【請求項１】
地域情報をホスト局から各ユーザの情報端末に配信する地域情報配信システムにおいて、
前記ホスト局は、
所定の地域内の地域情報を蓄積する地域情報蓄積手段と、
前記地域情報蓄積手段に蓄積された各地域情報へのアクセス頻度を格納するアクセス頻度格納手段と、
前記情報端末に対して無線で前記地域情報を配信可能な無線配信手段と、
ユーザと共に移動可能な情報端末が前記所定の地域に入った場合に、前記アクセス頻度格納手段を参照してアクセス頻度の高い地域情報を選択し、前記無線配信手段を制御して当該移動可能な情報端末に選択された地域情報の少なくとも一部を配信させる制御手段とを備えることを特徴とする地域情報配信システム。
【請求項２】
前記制御手段は、前記移動可能な情報端末が前記所定の地域に入った場合に、前記無線配信手段を制御して選択された地域情報の見出しを配信させ、前記情報端末から要求があった場合に、当該地域情報の詳細を前記地域情報蓄積手段から読み出して配信させると共に、前記アクセス頻度格納手段に格納された当該地域情報に関するアクセス頻度を更新させることを特徴とする請求項１に記載の地域情報配信システム。
【請求項３】
前記移動可能な情報端末は、携帯電話であることを特徴とする請求項１又は２に記載の地域情報配信システム。
【発明の詳細な説明】
【技術分野】
【０００１】
本発明は、ユーザが持つ情報端末に対して、ユーザがいる地域に特有の地域情報を配信する地域情報配信システムに関する。
【背景技術】
【０００２】
携帯電話を情報端末として利用し、地域の情報を配信するシステムは、例えば特許文献１に開示されている。特許文献１に開示されるシステムは、携帯電話の中継基地局のカバーエリアを単位として地域を区分けし、ユーザがいる位置をそのユーザの携帯電話をカバーエリア内にしている中継基地局の位置から判断してその地域に関する情報をユーザの携帯電話に配信して待ち受け画面に表示させる。ユーザが移動して他の中継基地局のカバーエリアに移ると、移動先の地域に関する情報が配信される。
【０００３】
【特許文献１】特開２００６−３０３８３１号公報
【発明の開示】
【発明が解決しようとする課題】
【０００４】
しかしながら、上記の特許文献１に開示されるシステムでは、ユーザがいる位置に応じた情報がユーザの携帯電話に配信されるものの、配信される情報は、例えば歩きタバコ禁止領域か否かといった配信側で選択した単純な情報であり、ユーザにとって関心のある情報を必ずしも配信できるものではなかった。
【０００５】
本発明は、上記の問題点に鑑みてなされたものであり、その課題は、ユーザがいる位置に応じて、その位置を含む地域の情報のうち、ユーザにとって関心がある情報を配信できるシステムを提供することにある。
【課題を解決するための手段】
【０００６】
上述した課題を解決するために、本発明による地域情報配信システムは、地域情報をホスト局から各ユーザの情報端末に配信するシステムにおいて、ホスト局が、所定の地域内の地域情報を蓄積する地域情報蓄積手段と、地域情報蓄積手段に蓄積された各地域情報へのアクセス頻度を格納するアクセス頻度格納手段と、情報端末に対して無線で地域情報を配信可能な無線配信手段と、ユーザと共に移動可能な情報端末が所定の地域に入った場合に、アクセス頻度格納手段を参照してアクセス頻度の高い地域情報を選択し、無線配信手段を制御して当該移動可能な情報端末に選択された地域情報の少なくとも一部を配信させる制御手段とを備えることを特徴とする。
【０００７】
また、制御手段は、移動可能な情報端末が所定の地域に入った場合に、無線配信手段を制御して選択された地域情報の見出しを配信させ、情報端末から要求があった場合に、当該地域情報の詳細を地域情報蓄積手段から読み出して配信させると共に、アクセス頻度格納手段に格納された当該地域情報に関するアクセス頻度を更新させるようにしてもよい。情報端末としては、携帯電話を利用することができる。
【発明の効果】
【０００８】
本発明の地域情報配信システムによれば、情報端末を持つユーザが所定の地域に入った時に、当該地域に特有な地域情報のうち、アクセス頻度が高い、すなわち、他のユーザの関心が高い情報を配信することができる。一般に、多くのユーザの関心が高い情報は、地域に入って来たユーザにとっても関心が高いと推定することができる。このため、本発明によれば、ユーザのいる位置を含む地域の情報のうち、ユーザにとって関心があると推定される情報を配信することができる。
【発明を実施するための最良の形態】
【０００９】
以下、本発明にかかる地域情報配信システムの実施形態について説明する。図１は、実施形態に係る地域情報配信システムの概略図である。
【００１０】
実施形態の地域情報配信システムは、図１に示すように、地域情報を配信するホスト局１０と、各ユーザが所持する携帯電話２０及び当該地域の各戸に備え付けられた固定式受信機３０とから構成される。このうち、携帯電話２０と固定式受信機３０とが情報端末である。
【００１１】
ホスト局１０は、所定の地域内の地域情報を蓄積する地域情報データベース(地域情報蓄積手段)１１と、この地域情報データベース１１へのアクセス記録を格納するアクセス記録データベース１２と、アクセス記録データベース１２に格納されたアクセス記録を参照して地域情報データベース１１に蓄積された各地域情報へのアクセス頻度を格納するアクセス頻度データベース(アクセス頻度格納手段)１３と、各情報端末に対して無線で地域情報を配信可能な無線配信装置(無線配信手段)１４と、これらのデータベース及び配信装置を制御する制御装置(制御手段)１５と、地域情報データベース１１を管理するための管理用パーソナルコンピュータ１６とを備えている。
【００１２】
地域情報データベース１１は、自治体情報、コミュニティ情報、気象情報等の地域や地域を構成するコミュニティに特有の地域情報を１件ずつ格納した複数のレコードを備えており、各レコードには、これらの情報の見出し情報、詳細情報、情報ＩＤを記録するフィールドが含まれている。
【００１３】
アクセス記録データベース１２は、携帯電話２０や固定式受信機３０を介してユーザが地域情報データベース１１に格納された情報の詳細情報にアクセスした際に、そのアクセスに関する情報を記録するもので、アクセス毎に１レコードが追加される。各レコードには、アクセスしたユーザを識別するユーザＩＤ、アクセスした地域情報を特定する情報ＩＤ、アクセスを継続していたアクセス時間を記録するフィールドが含まれている。ユーザＩＤには、例えば携帯電話２０のＳＩＭカードのＩＤや、固定式受信機３０に付与された識別情報等が含まれる。
【００１４】
アクセス頻度データベース１３は、個々の地域情報毎に１つのレコードを有し、各レコードには、当該地域情報を特定する情報ＩＤ、当該地域情報に対する合計アクセス数、当該地域情報に対する合計アクセス時間を格納するフィールドが含まれている。一定時間毎にアクセス記録データベース１２の内容を集計することにより、アクセス頻度データベース１３のレコードが追加され、あるいは、既存のレコードが更新される。
【００１５】
無線配信装置１４は、無線による通信を介して携帯電話２０及び固定式受信機３０との間で情報のやりとりをする。
【００１６】
制御装置１５は、地域情報データベース１１に蓄積された地域情報の見出しを地域内の携帯電話２０や固定式受信機３０に配信し、携帯電話２０や固定式受信機３０から詳細情報の要求があると、要求があった見出しに対応する詳細情報を配信する。そして、詳細情報の要求をアクセスとして、そのアクセスをアクセス記録データベース１２に記録すると共に、所定の時間間隔で記録の内容を集計してアクセス履歴データベース１３に登録する。
【００１７】
また、制御装置１５は、携帯電話２０がホスト局１０のカバーする所定の地域に入って来た場合に、アクセス頻度データベース１３を参照してアクセス頻度の高い地域情報を選択し、無線配信装置１４を制御して当該携帯電話２０に選択された地域情報の少なくとも一部、この例では見出しを配信する。そして、当該携帯電話から詳細情報の要求があった場合に、当該地域情報の詳細を地域情報データベース１１から読み出して配信させると共に、アクセス記録データベース１２に記録することにより、アクセス頻度データベース１３に格納された当該地域情報に関するアクセス頻度を更新させる。
【００１８】
なお、この例では固定式受信機３０も無線通信可能な構成であるが、これを有線により接続するようにしてもよい。また、固定式受信機３０としては、専用の端末を用意してもよいし、汎用のパーソナルコンピュータに必要なソフトウェアをインストールすることにより実現してもよい。さらに、図１の例では、ホスト局を１局のみ示しているが、異なる地域に異なるホスト局が配置されてもよいし、同一の地域内で複数のホスト局を用意してもよい。無線の規格としては、ワイマックス(WiMAX: Worldwide Interoperability for Microwave Accessの略)を利用してもよい。
【００１９】
次に、上記のように構成された実施形態の地域情報配信システムの動作について、図２及び図３のフローチャートを参照して説明する。図２はアクセス記録・集計プロセスの概要、図３は地域情報配信プロセスの概要を示している。
【００２０】
地域情報配信システムの運用時、制御装置１５は、図２に示すアクセス記録・集計プロセスを繰り返し実行する。このプロセスでは、いずれかのユーザが地域情報データベース１１の詳細情報にアクセスしたか否かを判断し(S001)、アクセスがあった場合(S001, YES)にはアクセス記録データベース１２にアクセスの内容、すなわち、ユーザＩＤ、情報ＩＤ、アクセス時間を登録する(S002)。これにより、アクセスがあった毎にアクセス記録データベース１２に新しいレコードが追加される。アクセスがなかった場合(S001, NO)にはS002をスキップする。
【００２１】
続いて、制御装置１５は、集計時刻に達したか否かを判断する(S003)。例えば、集計時刻は１日に２回、午前１０時と午後６時とに設定されている。これらのいずれかの時刻になると(S003, YES)、制御装置１５はアクセス記録データベース１２の内容を集計し、アクセス頻度データベース１３に登録する(S004)。すなわち、各地域情報毎に、アクセス件数を合計し、アクセス時間を合計する。既にアクセス頻度データベース１３に当該地域情報のレコードが存在する場合には、合計したアクセス件数とアクセス時間とを既存のレコードの対応するフィールドの値に上書きして更新し、レコードが存在しない場合には新規のレコードを生成して各フィールドに値を格納する。これにより、１日に２回ずつアクセス頻度データベース１３の内容が更新される。集計時刻ではない場合(S003, NO)にはS004をスキップする。
【００２２】
続いて、制御装置１５は、クリア時刻に達したか否かを判断する(S005)。例えば、クリア時刻は１週間に１回、毎週月曜日の午前６時に設定されている。クリア時刻になると(S005, YES)、制御装置１５はアクセス記録データベース１２とアクセス履歴データベース１３との内容を全てクリアする(S006)。これにより、アクセスの記録と履歴とは一週間に一度クリアされ、新たにゼロから記録が開始される。クリア時刻ではない場合(S005, NO)にはS006をスキップして処理を終了する。
【００２３】
次に、ユーザが携帯電話２０を所持してホスト局１０のカバーエリア外からカバーエリアに入ってきた場合の処理について図３に基づいて説明する。携帯電話２０がカバーエリアに入ったかどうかは、携帯電話２０からの電波を受けたホスト局１０が判断してもよいし、携帯電話２０にＧＰＳ機能を持たせ、携帯電話２０側で判断してもよい。
【００２４】
携帯電話２０がカバーエリアに入ると、制御装置１５はアクセス記録データベース１２にアクセスし(S101)、アクセス記録があるか否かを判断する(S102)。アクセス記録がある場合(S102, YES)には、制御装置１５はアクセス頻度データベース１３にアクセスし(S103)、所定頻度以上のレコードが所定数以上あるか否かを判断する(S104)。例えば、アクセス件数が１０以上のレコードが５レコード以上あるか否かを判断する。この要件を満たす場合(S104, YES)には、制御装置１５は所定件数の高頻度情報の見出しをカバーエリアに入った携帯電話２０に配信する(S105)。具体的には、制御装置１５は、アクセス頻度データベース１３から例えばアクセス件数１０以上の５件の地域情報の情報ＩＤを抽出し、この情報ＩＤをキーにして地域情報データベース１１から見出し情報を読み込み、これを配信する。
【００２５】
クリアの直後でアクセス記録データベース１２にアクセス記録がない場合(S102, NO)には、地域情報データベース１１に記録された情報のうち、所定件数、例えば５件の最新情報の見出しをカバーエリアに入った携帯電話２０に配信する(S106)。
【００２６】
また、クリアからの時間が短く、アクセス記録データベース１２にアクセス記録はあるが(S102, YES)、アクセス頻度データベース１３に所定頻度以上のレコードが所定数ない場合(S104, NO)には、高頻度情報(この例ではアクセス件数１０以上の情報)の見出しと、所定件数に足りない分の最新情報の見出しとをカバーエリアに入った携帯電話２０に配信する(S107)。例えば、アクセス頻度データベース１３にアクセス件数１０以上のレコードが２レコードしかない場合、この２レコードに相当する地域情報の見出しと、所定件数、ここでは５件に満たない３件分の最新の地域情報の見出しとを携帯電話に配信する。
【００２７】
いずれの見出しを配信した場合にも、配信された携帯電話２０のユーザが配信した見出しに関する詳細情報にアクセスしたか否かを判断する(S108)。そして、詳細情報へのアクセスがあった場合には、制御装置１５はアクセスされた詳細情報を地域情報データベース１１から読み出して要求元の携帯電話に配信する。また、この携帯電話によるアクセスについても、図２のS001におけるアクセスとしてカウントされ、アクセス記録データベース１２に記録される。
【００２８】
上記のように、実施形態の地域情報配信システムによれば、地域ユーザの一週間以内のアクセスが多い情報をホスト局１０のカバーエリアに入ってきたユーザの携帯電話２０に配信することにより、外部から入ったユーザも当該地域で現在関心を集めている情報を知ることができ、地域の情報のうち、ユーザにとって関心があると推定される情報を配信することができる。
【００２９】
なお、上記の実施形態では、一週間に一度全てのアクセス記録をクリアするようにしているが、個々のアクセス情報に日時情報を持たせ、個々のアクセス記録毎に一週間経過した段階でクリアするようにしてもよい。この場合には、常に最新の一週間分のアクセス記録が残ることになり、図３のS102の処理は不要となる。
【図面の簡単な説明】
【００３０】
【図１】本発明の実施形態にかかる地域情報配信システムの構成を模式的に示すブロック図である。
【図２】図１の制御装置が実行するアクセス記録・集計プロセスの内容を示すフローチャートである。
【図３】図１の制御装置が実行する地域情報配信プロセスの内容を示すフローチャートである。
【符号の説明】
【００３１】
１０  ホスト局
１１  地域情報データベース
１２  アクセス記録データベース
１３  アクセス履歴データベース
１４  無線配信装置
１５  制御装置
１６  管理用パーソナルコンピュータ
２０  携帯電話
３０  固定式受信機
【図１】
2009170974.tif 000003
【図２】
2009170974.tif 000004
【図３】
2009170974.tif 000005